(57)【特許請求の範囲】
【請求項１】
枠体と、互いに直交した状態で前記枠体に回転可能に取り付けられた第１と第２の連動部材と、該第１と第２の連動部材に対して垂直方向に配置された状態で、前記第２の連動部材に保持され、前記第１と第２の連動部材を回転する傾倒動作可能な操作軸と、前記操作軸の軸方向に対して直交した状態で配設された底板と、前記操作軸の傾倒動作より前記第１，或いは第２の連動部材を介してそれぞれ操作される電気部品とを備え、前記操作軸が傾倒動作して前記第２の連動部材を回転させた時、前記第２の連動部材が前記底板にぶつかり、前記操作軸の傾倒動作のストッパーを構成したことを特徴とする多方向入力装置。
【請求項２】
前記操作軸に保持されて、前記操作軸の軸方向に移動可能な作動部材と、前記作動部材の底部を前記底板上に弾圧する付勢部材とを有し、前記操作軸には、前記作動部材が軸方向に移動可能に結合され、前記操作軸が傾倒動作した時、前記作動部材が前記操作軸にぶつかり、前記作動部材の軸方向の移動が阻止されて、前記操作軸の傾倒動作のストッパーを構成したことを特徴とする請求項１記載の多方向入力装置。
【請求項３】
前記第２の連動部材と前記操作軸との間には、前記操作軸の傾倒動作をストップするストッパー部が設けられ、前記操作軸が傾倒動作して前記第１の連動部材を回転させた時、前記第２の連動部材の前記ストッパー部と前記操作軸の前記ストッパー部とがぶつかると共に、前記作動部材が前記操作軸にぶつかり、前記作動部材の軸方向の移動が阻止されて、前記操作軸の傾倒動作のストッパーを構成したことを特徴とする請求項１、又は２記載の多方向入力装置。
【発明の詳細な説明】
【０００１】
【発明の属する技術分野】
本発明は多方向入力装置に係わり、操作軸を操作することにより、複数の電気部品を同時に操作することができる多方向入力装置に関する。
【０００２】
【従来の技術】
従来の多方向入力装置は、本願の出願人が先に出願した出願中のもので、図３１〜図４３に示すように、鉄板等から成る枠体１が配設され、この枠体１は、プレス等で図示下方に折り曲げられた側板１ａ、１ｂ、１ｃ、１ｄを有し、内部が空洞で下部が開放され、外形が略直方体に形成されている。また、枠体１の上部が上板１ｅで蓋閉され、この上板１ｅの中央部には操作孔１ｆが形成されている。
前記側板１ｂ以外の３つの側板１ａ、１ｃ、１ｄには、それぞれ丸孔１ｇが形成され、更に側板１ａ、１ｃには後述する回転型の電気部品である可変抵抗器３Ａ、３Ｂを取り付けるための複数の角穴（図示せず）が設けられている。また、側板１ａが対向する側の側板１ｂには、側板１ａの丸孔１ｇが対向する位置に略半円形状の支持部１ｈが形成されている。
【０００３】
また、相対向する側板１ｃ、１ｄのそれぞれの下部には、図示しないプリント基板等に本発明の多方向入力装置を取り付けるための、複数の取付端子１ｋが下方側に延出形成されている。
また、側板１ａ、１ｂの下方には、後述する底板８を取り付けるための舌片１ｍ、１ｍがそれぞれ形成されている。
【０００４】
前記枠体１の空洞内部には、リン青銅板等から成る第１連動部材２が配設されている。そして、この第１連動部材２は、プレス等でアーチ状に上方側に湾曲形成され、このアーチ状部分の長手方向にスリット孔２ａが打ち抜き形成されている。
また、前記第１連動部材２の両端部が下方側に折り曲げられ、この折り曲げられた図示左側の一端部にはパイプ状の支持部２ｂが絞り加工等で突出形成され、この支持部２ｂが側板１ｄの丸孔１ｇに挿入されて回転可能に支持されるようになっている。
【０００５】
前記第１連動部材２の図３１示右側の他端部は、略Ｕ字状に折り曲げられて部品操作部２ｃが形成され、この部品操作部２ｃは、枠体１の側板１ｃに形成された丸孔１ｇ（図３８参照）に挿入され、この丸孔１ｇから外方に突出し、後述する第１の電気部品である可変抵抗器３Ａの回転体３ｄの横溝と係合するようになっている。
前記第１連動部材２は、枠体１の側板１ｃ、１ｄのそれぞれの丸孔１ｇ、１ｇに橋渡しされ、アーチ状に形成された部分が枠体１内部に回動可能に架設されている。
また、前記枠体１の側板１ａと、この側板１ａに隣接する側板１ｃに設けられた図示しない複数の角孔には第１，第２の電気部品である、例えば可変抵抗器３Ａ、３Ｂがスナップ係合等で取り付けられている。
【０００６】
回転型の第１，第２の電気部品である前記可変抵抗器３Ａ、３Ｂは、図３８，図３９に示すように、ケース３ａの内部にインサート成型等で一体形成された基板３ｂが配設され、摺動子片３ｃを取り付けた回転体３ｄがケース３ａに固定された基板３ｂに、回転体３ｄに設けた一対の取付脚３ｆをスナップ係合して回転可能に取り付けられ、回転体３ｄの回転中心には、縦溝と横溝とを組み合わせた係合溝を有する操作部３ｅが形成されている。
そして、前記枠体１の側板１ｃの丸孔１ｇから外方に突出している第１連動部材２の略Ｕ字状の部品操作部２ｃが、側板１ｃに取り付けられている可変抵抗器３Ａの操作部３ｅに係合し、前記第１連動部材２が回動することによって、可変抵抗器３Ａの回転体３ｄが回転して、可変抵抗器３Ａの抵抗値が変化するようになっている。
【０００７】
前記第１連動部材２のスリット孔２ａには、操作軸４の摘み部４ａが挿通され、摘み部４ａ、および根元部４ｂがスリット孔２ａに沿って移動可能になっている。  このような操作軸４は合成樹脂等から成り、図３５〜図３７に示すように、小判形状に形成された摘み部４ａの根元部４ｂが円形に形成されている。この円形の根元部４ｂの図示下方には筒部４ｃが一体形成されている。
この筒部４ｃは、下方が開放されて周囲が外壁で覆われ、内部には後述する略円形の復帰バネからなる付勢部材７を収納するための収納部４ｄが形成されている。このような操作軸４は、筒部４ｃの外周面の一部に対向状態で平坦部４ｅ、４ｅが形成され、この平坦部４ｅ、４ｅには、頂部にテーパ部４ｋを有する小判形状の軸部４ｆ、４ｆが軸方向に対して直交する方向に凸状に突出形成されている。
【０００８】
また、前記軸部４ｆの下端部には、係止部４ｊが設けられている。
前記収納部４ｄの内部には、摘み部４ａと同一の軸方向に軸支部４ｇが図示下方に延長して一体形成され、この軸支部４ｇの下方側の先端部４ｈがバネ性のある筒部４ｃより所定量だけ下方側に突出した状態になっている。
前記筒部４ｃの内壁には、特に、図４１に示すように、収納部４ｄ内に突出して、軸方向に延びる複数個の突起４ｍが設けられている。
また、筒部４ｃの外周面には、軸部４ｆの下側において、軸部４ｆと筒部４ｃの下端部との間に、ストッパーを構成するための矩形状の突部４ｎが設けられ、この突部４ｎは、平坦部４ｅよりも高いが軸部４ｆの頂面よりも低く形成されている。
前記操作軸４は、軸部４ｆを第２連動部材５に軸支することによって、矢印Ａ−Ａ方向、および矢印Ｂ−Ｂ方向に傾倒可能になっている。
【０００９】
前記第２連動部材５は合成樹脂材料から成り、第１連動部材２の下方側に、第１連動部材２と直交する方向に配設されている。
この第２連動部材５は、特に、図３２〜図３４に示すように、略中心部に操作軸４を挿通する中心孔５ｃを設けて構成された外形が略矩形の支持部５ａが形成され、この支持部５ａは周囲が側壁５ｂに囲まれ、この側壁５ｂに囲まれた内側に略矩形の中心孔５ｃが貫通形成されている。
前記支持部５ａの一対の側壁５ｂ、５ｂの所定位置には、操作軸４の軸部４ｆ、４ｆが係合可能な丸形の孔５ｄ、５ｄが形成されている。
前記側壁５ｂの内面には、特に、図４０に示すように、丸形の孔５ｄの下方に位置し、突部４ｎを受け入れるための略矩形状の凹部５ｎが設けられると共に、この凹部５ｎの両端部には、段部５ｅが存在して、ストッパー部が設けられている。
【００１０】
そして、操作軸４の軸部４ｆが丸形の孔５ｄにスナップ止めされて、操作軸４が第２連動部材５に保持されると共に、突部４ｎが凹部５ｎ内に位置して、突部４ｎの頂面が凹部５ｎの底壁面に当接すると共に、平坦部４ｅが側壁５ｂの内壁面と当接した状態となる。そして、突部４ｎの両端部の段差部が段部５ｅと衝合可能となって、ストッパーを構成している。
また、この組立後、小判形状の軸部４ｆの下端部の係止部４ｊが丸形の孔５ｄに係止した状態となっている。
【００１１】
前記支持部５ａからは、図３３に示すように、左右の水平方向に第１と第２のアーム部５ｆ、５ｇが、それぞれ延出形成されている。そして、一方側に延出する第１アーム部５ｆには、所定の径寸法の支持部５ｈが形成され、この支持部５ｈから板状の部品操作部５ｊが突出形成されている。
また、他方側に延出する第２アーム部５ｇには、所定の径寸法の支持部５ｋが形成され、この支持部５ｋから上面が平坦状に形成され下面が半円状に形成された突部５ｍが延出形成されている。
【００１２】
前記第２連動部材５は、第１アーム部５ｆの支持部５ｈが、枠体１の側板１ａの丸孔１ｇに挿入されて回転可能に支持され、第２アーム部５ｇの支持部５ｋが、側板１ｂの半円状の支持部１ｈに位置して支持されて、第２連動部材５は、回動可能に架設されるようになっている。
そして、第１アーム部５ｆの部品操作部５ｊが、側板１ａに取り付けられた第２の電気部品である可変抵抗器３Ｂの操作部３ｅの縦溝と係合し、可変抵抗器３Ｂを操作するようになっている。
【００１３】
前記枠体１の内部に位置する操作軸４の下方の軸支部４ｇには、操作軸４の軸方向に移動可能な作動部材６が配設されている。
この作動部材６は、樹脂材料から成り、下方側に外形が円形で底面が皿状に湾曲形成された基部６ａを有し、この基部６ａの中央部には、上方に向けて突出する筒状のボス部６ｂが形成され、このボス部６ｂの中央に軸孔６ｃが貫通形成されている。
前記作動部材６のボス部６ｂの外周には、操作軸４の突起４ｍとスプライン結合するための複数個の凹条部６ｄが設けられると共に、基部６ａの下面中央部には凹部６ｅが設けられると共に、基部６ａの下面外周部には円弧状面部６ｆが設けられ、更に、ボス部６ｂの上端部には、段差部を有した僅かに突出する突部６ｇが設けられている。
前記作動部材６は、操作軸４の軸支部４ｇが軸孔６ｃに挿入されると共に、ボス部６ｂが筒部４ｃの収納部４ｄに移動可能に嵌合するようになっている。
この時、作動部材６の凹条部６ｄには、操作軸４の突起４ｍがスプライン結合し、作動部材６が操作軸４の回りに回転しないようになっている。
【００１４】
前記操作軸４の筒部４ｃの収納部４ｄ内には、所定の弾性力を有するコイルバネから成る付勢部材７が配設されている。この付勢部材７は、上下の巻端部が、収納部４ｄ内の天井面と、作動部材６のボス部６ｂと突部６ｇの段差部とにそれぞれ弾接するようになっている。この付勢部材７は、軸支部４ｇに挿入されると共に、付勢部材７の一端部は、筒部４ｃの内壁にガイドされ、他端部は突部６ｇの外壁にガイドされ、付勢部材７の前後左右の動きが規制されるようになっている。
また、付勢部材７の取付は、先ず、付勢部材７を作動部材６の突部６ｇにはめ合わせた後、付勢部材７を先にして収納部４ｄに収納し、凹条部６ｄと突起４ｍを合わせながら作動部材６を収納部４ｄに収納するものである。
【００１５】
前記作動部材６の下部には、枠体１の下部を蓋閉する底板８が配設されている。この底板８は、樹脂材料からなり外形が略矩形に形成され、周囲に側壁８ａが部分的に形成され、この側壁８ａの内部に平坦状の内底面８ｂが形成されている。
前記内底面８ｂ上には、外周部から中央部に行くに従って、漸次盛り上がったテーパー部を有する円錐状で皿状の突部８ｅを設けている。
この内底面８ｂに、付勢部材７により作動部材６の底部が弾接されるようになっている。また、側壁８ａには、枠体１の側板１ｃ、１ｄの下方側の端部を位置決めするための複数のガイド部８ｄが突出形成されている。
【００１６】
次に、従来の多方向入力装置の動作を説明すると、まず、操作軸４の摘み部４ａに操作力が加わってない無負荷のときは、図３８、図４２に示すように、付勢部材７の弾性力により、作動部材６が底板８の内底面８ｂに弾接されて、基部６ａの皿状の底面が水平状態になると共に、操作軸４が直立の中立状態になっている。
また、この中立状態において、底板８の突部８ｅは、作動部材６の凹部６ｅ内に位置した状態となっている。
この中立状態の操作軸４を第１連動部材２のスリット孔２ａに沿って、図３８、図４２に示す矢印Ｂ−Ｂ方向に傾倒させると、第２連動部材５が第１と第２のアーム部５ｆ、５ｇのそれぞれの支持部５ｈ、５ｋを支点として回動し、作動部材６は図４３に示すように、基部６ａの底面が底板８の内底面８ｂ上を摺接移動し、基部６ａの底面の外周部の円弧状面部６ｆが底板８の突部８ｅのテーパー部に当接しながら作動部材６が傾斜する。
【００１７】
そして、作動部材６は付勢部材７の弾性力に抗してボス部６ｂが操作軸４の筒部４ｃの収納部４ｄ内に押し込まれる。
この状態で傾倒動作を続けると、作動部材６の円弧状面部６ｆは、突部８ｅのテーパー部に乗り上げながら、且つ、作動部材６の動きを規制させながら摺動動作する。
このため、作動部材６が所定の角度傾斜しても、円弧状面部６ｆが図４３の矢印Ｄ方向に底板８上でスリップすることが無く、傾倒動作を行うことができる。
前記第２連動部材５を回動させると、第１アーム部５ｆの部品操作部５ｊが係合している第２の電気部品である可変抵抗器３Ｂの回転体３ｄが回転して抵抗値が変化する。
また、操作軸４を矢印Ｂ方向に傾倒した時、操作軸４は、第１連動部材２のスリット孔２ａの端部にぶつかって、傾倒動作がストップするようになっている。
そして、側板１ａに取り付けられている可変抵抗器３Ｂの操作が終了後、操作軸４に加えていた操作力を解除すると、付勢部材７の弾性力によって、作動部材６が自動的に水平状態に戻り、操作軸４が直立の中立状態に自動復帰する。
【００１８】
また、操作軸４を第２連動部材５の中心孔５ｃに沿って、図３９に示す矢印Ａ−Ａ方向に傾倒させると、第１連動部材２が支持部２ｂと部品操作部２ｃを支点として回動する。
この第１連動部材２が回動すると、側板１ｃに取り付けられて部品操作部２ｃが係合している第１の電気部品である可変抵抗器３Ａの回転体３ｄが回転して、可変抵抗器３Ａの抵抗値が変化する。このときの作動部材６の動作は、前述した操作軸４を矢印Ｂ−Ｂ方向に傾倒させたときと同じなので説明は省略する。
そして、操作軸４を矢印Ａ方向に傾倒した時、突部４ｎが凹部５ｎ内を移動して、突部４ｎの段差部が段部５ｅに衝合して、ストッパーを構成している。
【００１９】
【発明が解決しようとする課題】
しかし、従来の多方向入力装置において、操作軸４の傾倒動作のストッパーは、操作軸４が第１の連動部材２のスリット孔２ａの端部にぶつかった時、或いは操作軸４と第２の連動部材５との間に設けられた凸部４ｎと段部５ｅとからなるストッパー部で行い、設計の自由度が少なく、更には、何れの場合も、一カ所によるストッパーであるため、ストッパー強度が弱いという問題がある。
【００２０】
本発明の多方向入力装置は、設計の自由度が向上できると共に、ストッパー強度が大きく、操作の確実な多方向入力装置を提供するものである。
【００２１】
【課題を解決するための手段】
前記課題を解決するするための第１の解決手段として、枠体と、互いに直交した状態で前記枠体に回転可能に取り付けられた第１と第２の連動部材と、該第１と第２の連動部材に対して垂直方向に配置された状態で、前記第２の連動部材に保持され、前記第１と第２の連動部材を回転する傾倒動作可能な操作軸と、前記操作軸の軸方向に対して直交した状態で配設された底板と、前記操作軸の傾倒動作より前記第１，或いは第２の連動部材を介してそれぞれ操作される電気部品とを備え、前記操作軸が傾倒動作して前記第２の連動部材を回転させた時、前記第２の連動部材が前記底板にぶつかり、前記操作軸の傾倒動作のストッパーを構成した。
また、第２の解決手段として、前記操作軸に保持されて、前記操作軸の軸方向に移動可能な作動部材と、前記作動部材の底部を前記底板上に弾圧する付勢部材とを有し、前記操作軸には、前記作動部材が軸方向に移動可能に結合され、前記操作軸が傾倒動作した時、前記作動部材が前記操作軸にぶつかり、前記作動部材の軸方向の移動が阻止されて、前記操作軸の傾倒動作のストッパーを構成した。
【００２２】
また、第３の解決手段として、前記第２の連動部材と前記操作軸との間には、前記操作軸の傾倒動作をストップするストッパー部が設けられ、前記操作軸が傾倒動作して前記第１の連動部材を回転させた時、前記第２の連動部材の前記ストッパー部と前記操作軸の前記ストッパー部とがぶつかると共に、前記作動部材が前記操作軸にぶつかり、前記作動部材の軸方向の移動が阻止されて、前記操作軸の傾倒動作のストッパーを構成した。
【００２３】
【発明の実施の形態】
本発明の多方向入力装置を図１〜図３０を基に説明すると、図１は本発明の多方向入力装置の分解斜視図、図２は本発明の多方向入力装置に係り、一部を断面した平面図、図３は図２の３−３線における断面図、図４は本発明の多方向入力装置の動作を示す説明図、図５は図２の５−５線における断面図、図６は本発明の多方向入力装置の動作を示す説明図、図７は図３の７−７線における要部の断面図、図８は図５の８−８線における要部の断面図である。
【００２４】
また、図９は本発明の多方向入力装置に係る第２の連動部材の平面図、図１０は本発明の多方向入力装置に係る第２の連動部材の正面図、図１１は本発明の多方向入力装置に係る第２の連動部材の下面図、図１２は本発明の多方向入力装置に係る第２の連動部材の右側面図、図１３は図９の１３−１３線における断面図、図１４は図９の１４−１４線における断面図である。
【００２５】
また、図１５は本発明の多方向入力装置に係る第１の連動部材の平面図、図１６は本発明の多方向入力装置に係る第１の連動部材の左側面図、図１７は本発明の多方向入力装置に係る第１の連動部材の右側面図、図１８は図１５の１８−１８線における断面図である。
【００２６】
また、図１９は本発明の多方向入力装置に係る操作軸の正面図、図２０は本発明の多方向入力装置に係る操作軸の上面図、図２１は本発明の多方向入力装置に係る操作軸の下面図、図２２は図１９の２２−２２線における断面図である。
また、図２３は本発明の多方向入力装置に係る作動部材の正面図、図２４は本発明の多方向入力装置に係る作動部材の平面図、図２５は図２４の２５−２５線における断面図である。
【００２７】
また、図２６は本発明の多方向入力装置に係る回転体の平面図、図２７は本発明の多方向入力装置に係る回転体の背面図、図２８は本発明の多方向入力装置に係る回転体の底面図、図２９は図２６の２９−２９線における断面図、図３０は図２６の３０−３０線における断面図である。
【００２８】
次に、本発明の多方向入力装置の構成を図１〜図３０に基づいて説明すると、鉄板等から成る枠体２１が配設され、この枠体２１は、プレス等で図示下方に折り曲げられた側板２１ａ、２１ｂ、２１ｃ、２１ｄを有し、内部が空洞で下部が開放され、外形が略直方体に形成されている。また、枠体２１の上部が上板２１ｅで蓋閉され、この上板２１ｅの中央部には操作孔２１ｆが形成されている。
前記側板２１ｂ以外の３つの側板２１ａ、２１ｃ、２１ｄには、それぞれ丸孔２１ｇが形成され、更に側板２１ａ、２１ｃには後述する回転型の第１，第２の電気部品である可変抵抗器２３Ａ、２３Ｂを取り付けるための複数の角穴２１ｐが設けられている。また、側板２１ａが対向する側の側板２１ｂには、側板２１ａの丸孔２１ｇが対向する位置に略半円形状の支持部２１ｈが形成されている。
【００２９】
また、相対向する側板２１ｃ、２１ｄのそれぞれの下部には、図示しないプリント基板等に本発明の多方向入力装置を取り付けるための、複数の取付端子２１ｋが下方側に延出形成されている。
また、側板２１ａ、２１ｂの下方には、後述する底板２８を取り付けるための舌片２１ｍ、２１ｍがそれぞれ形成されている。
【００３０】
前記枠体２１の空洞内部には、リン青銅板等から成る第１連動部材２２が配設されている。そして、この第１連動部材２２は、図１５〜図１８に示すように、プレス等でアーチ状に上方側に湾曲形成され、このアーチ状部分の長手方向にスリット孔２２ａが打ち抜き形成されている。
また、前記第１連動部材２２の両端部が下方側に折り曲げられ、この折り曲げられた図示左側の一端部にはパイプ状の支持部２２ｂが絞り加工等で突出形成され、この支持部２２ｂが側板２１ｄの丸孔２１ｇに挿入されて回転可能に支持されるようになっている。
【００３１】
前記第１連動部材２２の図１、及び図１５示右側の他端部には、その端部から突出した部品操作部２２ｃと、この部品操作部２２ｃの端部から更に突出した凸部２２ｄとを有し、この部品操作部２２ｃは、枠体２１の側板２１ｃに形成された丸孔２１ｇ（図３参照）に挿入され、この丸孔２１ｇから外方に突出し、後述する第１の電気部品である可変抵抗器２３Ａの回転体２３ｄの横溝と係合するようになっている。
前記第１の連動部材２２は、枠体２１の側板２１ｃ、２１ｄのそれぞれの丸孔２１ｇ、２１ｇに橋渡しされ、アーチ状に形成された部分が枠体２１内部に回動可能に架設されている。
また、前記枠体２１の側板２１ａと、この側板２１ａに隣接する側板２１ｃに設けられた複数の角孔２１ｐには、第１，第２の電気部品である、例えば可変抵抗器２３Ａ、２３Ｂがケース２３ａに設けられた取付部２３ｇをスナップ係合させて取り付けられている。
【００３２】
回転型の第１，第２の電気部品である前記可変抵抗器２３Ａ、２３Ｂは、図２〜図６に示すように、ケース２３ａの内部にインサート成型等で一体形成された基板２３ｂが配設され、このケース２３ａに設けられた取付部２３ｇが枠体２１にスナップ止めされると共に、摺動子片２３ｃを取り付けた回転体２３ｄがケース２３ａに固定された基板２３ｂに、回転体２３ｄに設けた一対の取付脚２３ｆをスナップ係合して回転可能に取り付けられている。
そして、回転体２３ｄは、図２６〜図３０に示すように、平板状の基部２３ｈの中心部には、縦溝と横溝とを組み合わせた係合溝２３ｅが形成され、この係合溝２３ｅを挟んで間隔を置いて一対の取付脚２３ｆが設けられた構成となっている。
【００３３】
そして、前記枠体２１の側板２１ｃの丸孔２１ｇから外方に突出している第１連動部材２２の部品操作部２２ｃが、側板２１ｃに取り付けられている可変抵抗器２３Ａの係合溝２３ｅに係合すると共に、凸部２２ｄが一対の取付脚２３ｆの位置まで延在して、前記第１連動部材２２が回動することによって、可変抵抗器２３Ａの回転体２３ｄが回転して、可変抵抗器２３Ａの抵抗値が変化するようになっている。
また、凸部２２ｄが一対の取付脚２３ｆの位置まで延在することによって、回転体２３ｄに外力がかかって、取付脚２３ｆがケース２２ａから外れようとしても、この凸部２２ｄの存在によって、取付脚２３ｆの動きが抑えられて、外れることがないし、本実施例においては、取付脚２３ｆがスナップ係合するケース２３ａの基板２３ｂの表面付近まで延びているので、その効果は特に著しい。
なお、前記実施例では、凸部２２ｄをケース２３ａの基板２３ｂの表面付近まで延ばしているが、それより外側まで延ばしても良い。
また、基板２３ｂの中央部の丸孔に取付脚２３ｆをスナップ係合しているが、丸孔の周縁に相当する箇所を樹脂で覆い、この樹脂部分にスナップ係合しても良い。
【００３４】
また、、前記実施例では、回転体２３ｄに取付脚２３ｆを設けて、この取付脚２３ｆで回転体２３ｄをケース２３ａに回転可能に取り付けたもので説明したが、ケース２３ａに取付脚を設けて、この取付脚で回転体２３ｄを回転可能に取り付けるようにしても良い。
【００３５】
前記第１連動部材２２のスリット孔２２ａには、操作軸２４の摘み部２４ａが挿通され、摘み部２４ａ、および根元部２４ｂがスリット孔２２ａに沿って移動可能になっている。  このような操作軸２４は合成樹脂等から成り、図１９〜図２２に示すように、小判形状に形成された摘み部２４ａの根元部２４ｂが円形に形成されている。この円形の根元部２４ｂの図示下方には筒部２４ｃが一体形成されている。
この筒部２４ｃは、下方が開放されて周囲が外壁で覆われ、内部には後述する略円形の復帰バネからなる付勢部材２７を収納するための収納部２４ｄが形成されている。このような操作軸２４は、筒部２４ｃの外周面で互いに対向する位置に、軸方向に対して直交する方向に凸状に突出して設けられた一対の円柱状の軸部２４ｆと、この軸部２４ｆの頂部に設けられたテーパー部２４ｋと、この軸部２４ｆの周囲において、軸部２４ｆより低く設けられた略扇状の台座部２４ｅと、軸部２４ｆの下端部に位置する係止部２４ｊとを有する。
【００３６】
そして、略扇状の台座部２４ｅは、１８０度以上の角度で形成されると共に、台座部２４ｅの端部に設けられた段差部２４ｎが後述するストッパー部としての機能を果たすようになっている。
また、前記収納部２４ｄの内部には、摘み部２４ａと同一の軸方向に軸支部２４ｇが図示下方に延長して一体形成され、この軸支部２４ｇの下方側の先端部２４ｈがバネ性のある筒部２４ｃより所定量だけ下方側に突出した状態になっている。
前記筒部２４ｃの内壁には、特に、図８に示すように、収納部２４ｄ内で軸方向に延びる複数個の凹部２４ｍが設けられている。
そして、前記操作軸２４は、軸部２４ｆを第２連動部材２５に軸支することによって、矢印Ａ−Ａ方向、および矢印Ｂ−Ｂ方向に傾倒可能になっている。
【００３７】
なお、軸部２４ｆは円柱状の凸部で説明したが、小判型形状の凸部でも良く、また、筒部２４ｃの下端部と軸部２４の下端部との間に、台座部２４ｅの一部が存在したもので説明したが、筒部２４ｃの下端部と軸部２４ｆの下端部が操作軸２４の軸方向において、面一、或いは近接して設けるようにしても良い。
【００３８】
前記第２連動部材２５は合成樹脂材料から成り、第１連動部材２２の下方側に、第１連動部材２２と直交する方向に配設されている。
この第２連動部材２５は、特に、図９〜図１４に示すように、略中心部に操作軸２４を挿通する中心孔２５ｃを設けて構成された外形が略矩形の支持部２５ａが形成され、この支持部２５ａは周囲が側壁２５ｂに囲まれ、この側壁２５ｂに囲まれた内側に略矩形の中心孔２５ｃが貫通形成されている。
前記支持部２５ａの一対の側壁２５ｂ、２５ｂの所定位置には、操作軸２４の軸部２４ｆ、２４ｆが係合可能な丸形の孔２５ｄ、２５ｄが形成されている。
前記側壁２５ｂの内面には、特に、図７，図１３に示すように、丸形の孔２５ｄの周囲に位置し、台座部２４ｅを受け入れるための略扇状の凹部２５ｎが設けられると共に、この凹部２５ｎの両端部には、段部２５ｅが存在して、ストッパー部が設けられている。
【００３９】
そして、操作軸２４の軸部２４ｆが丸形の孔２５ｄにスナップ止めされて、操作軸２４が第２連動部材２５に保持されると共に、台座部２４ｅが凹部２５ｎ内に位置して、台座部２４ｅの頂面２４ｅ１が凹部２５ｎの底壁面２５ｎ１に当接すると共に、台座部２４ｅの両端部の段差部２４ｎが段部２５ｅと衝合可能となって、ストッパーを構成している。
前記支持部２５ａからは、図９〜図１４に示すように、左右の水平方向に第１と第２のアーム部２５ｆ、２５ｇが、それぞれ延出形成されている。そして、一方側に延出する第１アーム部２５ｆには、所定の径寸法の支持部２５ｈが形成され、また、他方側に延出する第２アーム部２５ｇには、所定の径寸法の支持部２５ｋが形成され、この支持部２５ｋからは、板状の部品操作部２５ｊが突出形成されると共に、この部品操作部２５ｊから更に突出して、突部２５ｍが延出形成されている。
【００４０】
前記第２連動部材２５は、第１アーム部２５ｆの支持部２５ｈが、枠体２１の側板２１ｂの半円状の支持部２１ｈと底板２８の間に位置して回転可能に支持され、第２アーム部２５ｇの支持部２５ｋが、側板２１ａの丸孔２１ｇに挿入されて回転可能に支持されて、第２連動部材２５は、回動可能に架設されるようになっている。
そして、第２アーム部２５ｇの部品操作部２５ｊが、側板１ａに取り付けられた第２の電気部品である可変抵抗器３Ｂの係合溝３ｅの縦溝と係合し、可変抵抗器３Ｂを操作するようになっている。
また、第２連動部材２５が枠体２１に取り付けられた際、突部２５ｍが一対の取付脚２３ｆの位置まで延在した構成となっており、この突部２５ｍが一対の取付脚２３ｆの位置まで延在することによって、回転体２３ｄに外力がかかって、取付脚２３ｆがケース２２ａから外れようとしても、この突部２５ｍの存在によって、取付脚２３ｆの動きが抑えられて、外れることがないし、本実施例においては、取付脚２３ｆがスナップ係合するケース２３ａの基板２３ｂの表面付近まで延びているので、その効果は特に著しい。
なお、前記実施例では、凸部２２ｄをケース２３ａの基板２３ｂの表面付近まで延ばしているが、それより外側まで延ばしても良い。
また、基板２３ｂの中央部の丸孔に取付脚２３ｆをスナップ係合しているが、丸孔の周縁に相当する箇所を樹脂で覆い、この樹脂部分にスナップ係合しても良い。
【００４１】
前記枠体２１の内部に位置する操作軸２４の下方の軸支部２４ｇには、操作軸２４の軸方向に移動可能な作動部材２６が配設されている。
この作動部材２６は、樹脂材料から成り、図２３〜図２５に示すように、下方側に外形が円形で底面が皿状に湾曲形成された基部２６ａを有し、この基部２６ａの中央部には、上方に向けて突出する筒状のボス部２６ｂが形成され、このボス部２６ｂの中央に軸孔２６ｃが貫通形成されている。
前記作動部材２６のボス部２６ｂの外周には、操作軸２４の凹部２４ｍとスプライン結合するための径方向に突出した複数個の凸条部２６ｄが設けられ、また、基部２６ａの下面中央部には凹部２６ｅが設けられると共に、基部２６ａの下面外周部には円弧状面部２６ｆが設けられ、更に、凸条部２６ｄの上端部において、この凸条部２６ｄとボス部２６ｂとの間に設けられた凹部からなる受け部２６ｇが設けられている。
【００４２】
また、凸条部２６ｄは、ボス部２６ｂの上部から基部２６ａにわたって形成されると共に、ボス部２６ｂの上端部は、操作軸２４の軸方向に凸条部２６ｄの先端部から更に突出させ、ボス部２６ｂの突出量は、凸条部２６ｄの先端部から受け部２６ｇの深さ以上の長さで突出させている。
前記作動部材２６は、操作軸２４の軸支部２４ｇが軸孔２６ｃに挿入されると共に、ボス部２６ｂが筒部２４ｃの収納部２４ｄに移動可能に嵌合するようになっている。
この時、作動部材２６の凸条部２６ｄが操作軸２４の凹部２４ｍにスプライン結合し、作動部材２６が操作軸２４の回りに回転しないようになっている。
【００４３】
前記操作軸２４の筒部２４ｃの収納部２４ｄ内には、所定の弾性力を有するコイルバネから成る付勢部材２７が配設されている。この付勢部材２７は、上下の巻端部が、収納部２４ｄ内の天井面と、作動部材２６の受け部２６ｇとにそれぞれ弾接するようになっている。この付勢部材２７は、軸支部２４ｇに挿入されると共に、付勢部材２７の一端部は、筒部２４ｃの内壁にガイドされ、他端部は受け部２６ｇの外壁にガイドされ、付勢部材２７の前後左右の動きが規制されるようになっている。
【００４４】
また、付勢部材２７の取付は、先ず、付勢部材２７を作動部材２６の受け部２６ｇにはめ合わせた後、付勢部材２７を先にして収納部２４ｄに収納し、凸条部２６ｄと凹部２４ｍを合わせながら作動部材２６を収納部２４ｄに収納するものである。
この時、凹部からなる受け部２６ｇによって付勢部材２７の端部が保持されているため、付勢部材２７が作動部材２６から外れにくくなり、また、付勢部材２７は、組み立てられた状態では撓められているが、付勢部材２７が撓められていない自由長の状態で凸条部２６ｄの先端が凹部２４ｍの下端にガイドされるように寸法を設定しおり、このため、付勢部材２７が撓められた状態で、凸条部２６ｄと凹部２４ｍの位置を決める必要がないから、付勢部材２７と作動部材２６の組み込みが容易となる。
また、付勢部材２７が自由長の状態で、且つ、凸条部２６ｄと凹部２４ｍが嵌合する前にボス２６ｂの軸孔２６ｃの上端が軸支部２４ｇの先端部２４ｈにガイドされるので、凸条部２６ｄと凹部２４ｍの組み込み時の位置決めがし易く、更に、ボス部２６ｂの突出量が、凸条部２６ｄの先端部から受け部２６ｇの深さ以上の長さで突出することにより、付勢部材２７の外れが無く、一層、組立性が良好となる。
【００４５】
前記作動部材２６の下部には、枠体２１の下部を蓋閉する底板２８が配設されている。この底板２８は、樹脂材料からなり外形が略矩形に形成され、周囲に側壁２８ａが部分的に形成され、この側壁２８ａの内部に平坦状の内底面２８ｂが形成されている。
前記内底面２８ｂ上には、外周部から中央部に行くに従って、漸次盛り上がったテーパー部を有する円錐状で皿状の突部２８ｅを設けている。
この内底面２８ｂに、付勢部材２７により作動部材２６の底部が弾接されるようになっている。また、側壁２８ａには、枠体２１の側板２１ｃ、２１ｄの下方側の端部を位置決めするための複数のガイド部２８ｄが突出形成されている。
【００４６】
次に、本発明の多方向入力装置の動作を説明すると、まず、操作軸２４の摘み部２４ａに操作力が加わってない無負荷のときは、図３、図５に示すように、付勢部材２７の弾性力により、作動部材２６が底板２８の内底面２８ｂに弾接されて、基部２６ａの皿状の底面が水平状態になると共に、操作軸２４が直立の中立状態になっている。
また、この中立状態において、底板２８の突部２８ｅは、作動部材２６の凹部２６ｅ内に位置した状態となっている。
この中立状態の操作軸２４を第１連動部材２２のスリット孔２２ａに沿って、図３、図４に示す矢印Ｂ−Ｂ方向に傾倒させると、第２連動部材２５が第１と第２のアーム部２５ｆ、２５ｇのそれぞれの支持部２５ｈ、２５ｋを支点として回動し、作動部材２６は図４に示すように、基部２６ａの底面が底板２８の内底面２８ｂ上を摺接移動し、基部２６ａの底面の外周部の円弧状面部２６ｆが底板２８の突部２８ｅのテーパー部に当接しながら作動部材２６が傾斜する。
【００４７】
そして、作動部材２６は付勢部材２７の弾性力に抗して上方に移動し、ボス部２６ｂが操作軸２４の筒部２４ｃの収納部２４ｄ内に押し込まれる。
この状態で傾倒動作を続けると、作動部材２６の円弧状面部２６ｆは、突部２８ｅのテーパー部に乗り上げながら、且つ、作動部材２６の動きを規制させながら摺動動作する。
このため、作動部材２６が所定の角度傾斜しても、円弧状面部２６ｆが図４の矢印Ｄ方向に底板２８上でスリップすることが無く、傾倒動作を行うことができる。
前記第２連動部材２５を回動させると、第２アーム部２５ｇの部品操作部２５ｊが係合している第２の電気部品である可変抵抗器２３Ｂの回転体２３ｄが回転して抵抗値が変化する。
また、操作軸２４を矢印Ｂ方向に傾倒した時、作動部材２６の軸方向の移動は、作動部材２６の基部２６ａが操作軸２４の筒部２４ｃの下端面の４カ所の凸部２４ｐにぶつかって第１のストッパーが働くと共に、第２連動部材２５の下端部２５ｐが底板２８にぶつかって第２のストッパーが働き、操作軸２４は、この２カ所によるストッパーにより、傾倒動作がストップするようになっている。
そして、側板２１ａに取り付けられている可変抵抗器２３Ｂの操作が終了後、操作軸２４に加えていた操作力を解除すると、付勢部材２７の弾性力によって、作動部材２６が自動的に水平状態に戻り、操作軸２４が直立の中立状態に自動復帰する。
【００４８】
また、操作軸２４を第２連動部材２５の中心孔２５ｃに沿って、図５，図６に示す矢印Ａ−Ａ方向に傾倒させると、第１連動部材２２が支持部２２ｂと部品操作部２２ｃを支点として回動する。
この第１連動部材２２が回動すると、側板２１ｃに取り付けられて部品操作部２２ｃが係合している第１の電気部品である可変抵抗器２３Ａの回転体２３ｄが回転して、可変抵抗器２３Ａの抵抗値が変化する。このときの作動部材２６の動作は、前述した操作軸２４を矢印Ｂ−Ｂ方向に傾倒させたときと同じなので説明は省略する。
そして、操作軸２４を矢印Ａ方向に傾倒した時、作動部材２６の軸方向の移動は、作動部材２６の基部２６ａが操作軸２４の筒部２４ｃの下端面に設けた４カ所の凸部２４ｐにぶつかって第１のストッパーが働くと共に、台座部２４ｅが凹部２５ｎ内を移動して、台座部２４ｅの段差部２４ｎが段部２５ｅに衝合して、第２のストッパーが働き、操作軸２４は、この２カ所によるストッパーにより、傾倒動作がストッパーするようになっている。
【００４９】
【発明の効果】
本発明の多方向入力装置において、操作軸２４が傾倒動作して第２の連動部材２５を回転させた時、第２の連動部材２５が底板２８にぶつかり、操作軸２４の傾倒動作のストッパーを構成したため、設計の自由度が増すと共に、ストッパー強度を大きくすることができる。
また、操作軸２４には、作動部材２６が軸方向に移動可能に結合され、操作軸２４が傾倒動作した時、作動部材２６が操作軸２４にぶつかり、作動部材２６の軸方向の移動が阻止されて、操作軸２４の傾倒動作のストッパーを構成したため、２カ所によるストッパーとなり、ストッパー強度が大きく、無理な操作でもストッパーが破壊することが無く、操作の確実な多方向入力装置を提供できる。
【００５０】
また、第２の連動部材２５と操作軸２４との間には、操作軸２４の傾倒動作をストップするストッパー部２４ｎ、２５ｅが設けられ、操作軸２４が傾倒動作して第１の連動部材２２を回転させた時、第２の連動部材２５のストッパー部２５ｅと操作軸２４のストッパー部２４ｎとがぶつかると共に、作動部材２６が操作軸２４にぶつかり、作動部材２６の軸方向の移動が阻止されて、操作軸２４の傾倒動作のストッパーを構成したため、２カ所によるストッパーとなり、ストッパー強度が大きく、無理な操作でもストッパーが破壊することが無く、操作の確実な多方向入力装置を提供できる。
【図面の簡単な説明】
【図１】本発明の多方向入力装置の分解斜視図。
【図２】本発明の多方向入力装置に係り、一部を断面した平面図。
【図３】図２の３−３線における断面図。
【図４】本発明の多方向入力装置の動作を示す説明図。
【図５】図２の５−５線における断面図。
【図６】本発明の多方向入力装置の動作を示す説明図。
【図７】図３の７−７線における要部の断面図。
【図８】図５の８−８線における要部の断面図。
【図９】本発明の多方向入力装置に係る第２の連動部材の平面図。
【図１０】本発明の多方向入力装置に係る第２の連動部材の正面図。
【図１１】本発明の多方向入力装置に係る第２の連動部材の下面図。
【図１２】本発明の多方向入力装置に係る第２の連動部材の右側面図。
【図１３】図９の１３−１３線における断面図。
【図１４】図９の１４−１４線における断面図。
【図１５】本発明の多方向入力装置に係る第１の連動部材の平面図。
【図１６】本発明の多方向入力装置に係る第１の連動部材の左側面図。
【図１７】本発明の多方向入力装置に係る第１の連動部材の右側面図。
【図１８】図１５の１８−１８線における断面図。
【図１９】本発明の多方向入力装置に係る操作軸の正面図。
【図２０】本発明の多方向入力装置に係る操作軸の上面図。
【図２１】本発明の多方向入力装置に係る操作軸の下面図。
【図２２】図１９の２２−２２線における断面図。
【図２３】本発明の多方向入力装置に係る作動部材の正面図。
【図２４】本発明の多方向入力装置に係る作動部材の平面図。
【図２５】図２４の２５−２５線における断面図。
【図２６】本発明の多方向入力装置に係る回転体の平面図。
【図２７】本発明の多方向入力装置に係る回転体の背面図。
【図２８】本発明の多方向入力装置に係る回転体の底面図。
【図２９】図２６の２９−２９線における断面図。
【図３０】図２６の３０−３０線における断面図。
【図３１】従来の多方向入力装置の分解斜視図。
【図３２】従来の多方向入力装置に係わる第２連動部材の上面図。
【図３３】従来の多方向入力装置に係わる第２連動部材の正面図。
【図３４】従来の多方向入力装置に係わる第２連動部材の側面図。
【図３５】従来の多方向入力装置に係わる操作軸の上面図。
【図３６】従来の多方向入力装置に係わる操作軸の正面図。
【図３７】図３５の３７−３７線における断面図。
【図３８】従来の多方向入力装置の要部の縦断面図。
【図３９】図３８の３９−３９線における断面図。
【図４０】図３８の４０−４０線における要部の断面図。
【図４１】図３８の４１−４１線における要部の断面図。
【図４２】従来の多方向入力装置の動作を説明するための説明図。
【図４３】従来の多方向入力装置の動作を説明するための説明図である。
【符号の説明】
２１  枠体
２１ａ〜２１ｄ  側板
２１ｅ  上板
２１ｆ  操作孔
２１ｇ  丸孔
２１ｈ  支持部
２１ｋ  取付端子
２１ｍ  舌片
２１ｐ  角穴
２２  第１連動部材
２２ａ  スリット孔
２２ｂ  支持部
２２ｃ  部品操作部
２２ｄ  凸部
２３Ａ  第１の可変抵抗器
２３Ｂ  第２の可変抵抗器
２３ａ  ケース
２３ｂ  基板
２３ｃ  摺動子片
２３ｄ  回転体
２３ｅ  係合溝
２３ｆ  取付脚
２３ｇ  取付部
２３ｈ  基部
２４  操作軸
２４ａ  摘み部
２４ｂ  根本部
２４ｃ  筒部
２４ｄ  収納部
２４ｅ  台座部
２４ｆ  軸部
２４ｇ  軸支部
２４ｈ  先端部
２４ｊ  係止部
２４ｋ  テーパー部
２４ｍ  凹部
２４ｎ  段差部
２５  第２連動部材
２５ａ  支持部
２５ｂ  側壁
２５ｃ  中心孔
２５ｄ  丸形の孔
２５ｅ  段部
２５ｆ  第１アーム部
２５ｇ  第２アーム部
２５ｈ  支持部
２５ｊ  部品操作部
２５ｍ  突部
２５ｎ  凹部
２６  作動部材
２６ａ  基部
２６ｂ  ボス部
２６ｃ  軸孔
２６ｄ  凸条部
２６ｅ  凹部
２６ｆ  円弧状面部
２６ｇ  受け部
２７  付勢部材
２８  底板
２８ａ  側板
２８ｂ  内底面
２８ｄ  ガイド部
２８ｅ  突部
【図１】
0003764837.tif 000002
【図２】
0003764837.tif 000003
【図３】
0003764837.tif 000004
【図４】
0003764837.tif 000005
【図５】
0003764837.tif 000006
【図６】
0003764837.tif 000007
【図７】
0003764837.tif 000008
【図８】
0003764837.tif 000009
【図９】
0003764837.tif 000010
【図１０】
0003764837.tif 000011
【図１１】
0003764837.tif 000012
【図１２】
0003764837.tif 000013
【図１３】
0003764837.tif 000014
【図１４】
0003764837.tif 000015
【図１５】
0003764837.tif 000016
【図１６】
0003764837.tif 000017
【図１７】
0003764837.tif 000018
【図１８】
0003764837.tif 000019
【図１９】
0003764837.tif 000020
【図２０】
0003764837.tif 000021
【図２１】
0003764837.tif 000022
【図２２】
0003764837.tif 000023
【図２３】
0003764837.tif 000024
【図２４】
0003764837.tif 000025
【図２５】
0003764837.tif 000026
【図２６】
0003764837.tif 000027
【図２７】
0003764837.tif 000028
【図２８】
0003764837.tif 000029
【図２９】
0003764837.tif 000030
【図３０】
0003764837.tif 000031
【図３１】
0003764837.tif 000032
【図３２】
0003764837.tif 000033
【図３３】
0003764837.tif 000034
【図３４】
0003764837.tif 000035
【図３５】
0003764837.tif 000036
【図３６】
0003764837.tif 000037
【図３７】
0003764837.tif 000038
【図３８】
0003764837.tif 000039
【図３９】
0003764837.tif 000040
【図４０】
0003764837.tif 000041
【図４１】
0003764837.tif 000042
【図４２】
0003764837.tif 000043
【図４３】
0003764837.tif 000044